(57)【要約】      （修正有）【課題】空気循環が促進された冷蔵冷凍庫の機械室を提供する。【解決手段】内部が中空構造である機械室本体を含み、機械室本体が、左側板２、右側板、前プレート５、後プレート１、上プレート及び下プレートを含み、左側板における右側板寄りの側に仕切り４が設けられており、仕切りにおける後プレート寄りの部分に空気通路口３が開設され、仕切りと左側板の間に排気通路が形成されており、排気通路における空気通路口部分にガイド板が設けられており、左側板の前側に前プレートが接続されており、前プレートに吸気口が設けられており、吸気口の上方に幾つかの前プレート排気口が設けられており、吸気口と前プレート排気口が仕切りによって隔てられており、左側板の後側には、下方に後プレートの排気口が設けられた後プレートが接続されている。前プレートの排気口と後プレートの排気口を通じて排気及び放熱することから、狭小空間における使用の利便性が向上するとともに、放熱効率が高まる。【選択図】図１
0003202044.tif 000002
【実用新案登録請求の範囲】
【請求項１】
内部が中空構造である機械室本体を含み、機械室本体が、左側板、右側板、前プレート、後プレート、上プレート及び下プレートを含む、空気循環が促進された冷蔵冷凍庫の機械室であって、
左側板における右側板寄りの側に、左側板と平行な仕切りが設けられ、仕切りにおける後プレート寄りの部分に空気通路口が開設され、仕切りと左側板の間に排気通路が形成されており、排気通路における空気通路口部分にガイド板が設けられており、左側板の前側に前プレートが接続されており、前プレートに吸気口が設けられており、吸気口の上方に幾つかの前プレート排気口が設けられており、吸気口と前プレート排気口が仕切りによって隔てられており、左側板の後側には、下方に後プレートの排気口が設けられた後プレートが接続されている、ことを特徴とする空気循環が促進された冷蔵冷凍庫の機械室。
【請求項２】
前記仕切りとして鉄板が用いられる、ことを特徴とする請求項１に記載の空気循環が促進された冷蔵冷凍庫の機械室。
【考案の詳細な説明】
【技術分野】
【０００１】
本考案は家電分野に関し、具体的に、空気循環が促進された冷蔵冷凍庫の機械室に関する。
【背景技術】
【０００２】
従来の大型・中型・小型の冷蔵又は冷凍用横型平面作業台付きコールドケースでは、機械室内において凝縮器モーターにより吸い込んだ空気で凝縮器の温度を下げるとともに、高温となった圧縮器の温度を空気循環によって低下させている。空気の循環方式としては、機械室前方に位置するファンによってフロントカバーの給気口から後方に向かって吸い込まれた空気が、凝縮器と圧縮器を順に通過した後に、ケースの後方及び側方から外部へと排出される。コールドケースの機械室はケースの左側又は右側に位置していることから、従来では、コールドケースの配置スペースが小さい場合に、後面及び側面双方が壁やその他物体により遮られてしまうと、空気がケースの外部へ循環しにくく、機械室内の温度が大変高温となってしまう結果、凝縮器と圧縮器の降温が効果的に行われず、性能不良が招来されるとの課題があった。
【考案の概要】
【０００３】
本考案は、前プレートの排気口と後プレートの排気口を通じて排気及び放熱することで、狭小空間における使用の利便性を高めるとともに放熱効率が高まる、空気循環が促進された冷蔵冷凍庫の機械室を提供することを目的とする。
【０００４】
上記の目的を実現するために、本考案では以下の技術方案を提供する。
【０００５】
空気循環が促進された冷蔵冷凍庫の機械室であって、内部が中空構造である機械室本体を含み、機械室本体が、左側板、右側板、前プレート、後プレート、上プレート及び下プレートを含み、左側板における右側板寄りの側に、左側板と平行な仕切りが設けられ、仕切りにおける後プレート寄りの部分に空気通路口が開設され、仕切りと左側板の間に排気通路が形成されており、排気通路における空気通路口部分にガイド板が設けられており、左側板の前側に前プレートが接続されており、前プレートに吸気口が設けられており、吸気口の上方に幾つかの前プレート排気口が設けられており、吸気口と前プレート排気口が仕切りによって隔てられており、左側板の後側には、下方に後プレートの排気口が設けられた後プレートが接続されている。
【０００６】
上記技術の更なる改良として、前記仕切りとして鉄板が用いられる。
【０００７】
従来技術と比較して、本考案では以下のような有益な効果が得られる。即ち、左側板の側に仕切りを追加することで、左側板と仕切りの間に排気通路が形成されるとともに、前プレートに吸気口及び前プレート排気口がそれぞれ設けられるので、熱風が前プレートへ案内されて排出される。これにより、空気が前側から給排気されるため、狭小空間における使用の利便性が高まるとともに、放熱効率が高まる。よって、後プレートの排気口が塞がれることで機械室の放熱不良が招来されるとの不具合が解消される。
【図面の簡単な説明】
【０００８】
【図１】図１は、空気循環が促進された冷蔵冷凍庫の機械室の構造を示す図である。
【考案を実施するための形態】
【０００９】
以下に、具体的実施形態を組み合わせて、本考案の技術方案について更に詳細に説明する。
【００１０】
空気循環が促進された冷蔵冷凍庫の機械室は、内部が中空構造である機械室本体を含む。機械室本体は、左側板２、右側板、前プレート５、後プレート１、上プレート及び下プレートを含む。左側板２における右側板寄りの側には、左側板２と平行な仕切り４が設けられている。本考案の仕切り４としては鉄板が用いられ、仕切り４における後プレート１寄りの部分に空気通路口３が開設される。また、仕切り４と左側板２の間に排気通路が形成されている。排気通路における空気通路口３部分には、気流を上方へ案内して排出するためのガイド板が設けられている。左側板２の前側には前プレート５が接続されており、前プレート５には吸気口が設けられている。吸気口の上方には幾つかの前プレート排気口が設けられている。吸気口と前プレート５の排気口は仕切り４によって隔てられており、排出された熱風が再び吸気口に吸い込まれて二次循環することが効果的に防止されるため、冷却効率が高められる。左側板２の後側には、下方に後プレート１の排気口が設けられた後プレート１が接続されている。前プレート５と後プレート１の間には、ファン８、凝縮器７及び圧縮器６が順に接続されている。本考案の動作時には、ファン８が起動され、前プレート５に設けられた吸気口から、ファン８によって空気が機械室本体内に吸い込まれる。冷蔵冷凍庫を配置する場合に、後プレート１の排気口が遮られていなければ、空気は前プレート５の吸気口から吸い込まれ、凝縮器７と圧縮器８を通過して後プレート１の排気口から排出される。機械室本体の後プレート１の排気口が遮られている場合は、前プレート５の吸気口から吸い込まれた空気が空気通路口３を通じて排気通路に進入し、ガイド板に案内されることで前プレート５の排気口から排出される。外部から進入した空気は、凝縮器７と圧縮器６を通過する際に凝縮器７と圧縮器６で発生した大部分の熱を持ち去るため、新たな空気循環により放熱するとの目的が達せられる。
【００１１】
以上は本考案の好ましい実施例に過ぎず、本考案の実施形態及び保護範囲を制限する主旨ではない。当業者であれば、本考案の明細書及び図面を適用して実施される等価の置き換え及び自明な変形により得られる方案は、いずれも本考案の保護範囲に含まれるものと認識可能である。
【符号の説明】
【００１２】
１  後プレート
２  左側板
３  空気通路口
４  仕切り
５  前プレート
６  圧縮器
７  凝縮器
８  ファン
【図１】
0003202044.tif 000003